(57)【要約】【課題】算出ユニットから分離されたデータ入出力ユニットを提供することで、最新の算出技術による算出結果を提供できるような血液中グルコース濃度の測定技術を提供する。【解決手段】非侵襲による血液中グルコース濃度を測定する分光光学的血糖値測定装置であるデータ入力算出出力ユニットを、データ入出力ユニットと、算出ユニットとに分離する。データ入出力ユニットから測定用データを入力して算出ユニットへ送信し、その測定用データを用いて算出ユニットの演算手段が血液中グルコース濃度を算出し、データ入出力ユニットへ送信する。それを受信したデータ入出力ユニットが算出データを出力する。【選択図】    図１
2004198162.tif 000002
【特許請求の範囲】
【請求項１】
被測定者の被測定部位による血液中グルコース濃度測定のための測定用データを入力するデータ入力手段と、そのデータ入力手段によって入力された測定用データを別途設けられた算出ユニットへ送信するデータ送信手段と、測定用データを用いて算出ユニットが血液中グルコース濃度を算出した算出データを受信するデータ受信手段と、そのデータ受信手段が受信した算出データを出力するデータ出力手段とを備えたデータ入力及び結果出力装置であって、
データ入力手段は、  近赤外線を含む測定光を発光する発光手段と、  その発光手段にて発射される測定光を用いて被測定部位に測定光が反射した反射光を受光する受光手段と、  その受光手段が受光した反射光をデータ送信手段が送信するための送信用データへ変換するデータ変換手段とを備えた血液中グルコース濃度測定および結果出力のためのデータ入出力装置。
【請求項２】
被測定者の被測定部位による血液中グルコース濃度測定のための測定用データを入力するデータ入力手段と、そのデータ入力手段によって入力された測定用データを別途設けられた算出ユニットへ送信するデータ送信手段と、測定用データを用いて算出ユニットが血液中グルコース濃度を算出した算出データまたは適正範囲ではない算出データである場合にデータの再入力を促す催促データを受信するデータ受信手段と、そのデータ受信手段が受信した算出データまたは催促データを出力するデータ出力手段とを備えたデータ入力及び結果出力装置であって、
データ入力手段は、  近赤外線を含む測定光を発光する発光手段と、  その発光手段にて発射される測定光を用いて被測定部位に測定光が反射した反射光を受光する受光手段と、  その受光手段が受光した反射光をデータ送信手段が送信するための送信用データへ変換するデータ変換手段とを備えた血液中グルコース濃度測定および結果出力のためのデータ入出力装置。
【請求項３】
被測定者の被測定部位による血液中グルコース濃度測定のための測定用データを入力するデータ入力手段と、そのデータ入力手段によって入力された測定用データを別途設けられた算出ユニットへ送信するデータ送信手段と、測定用データを用いて算出ユニットが血液中グルコース濃度を算出した算出データを受信するデータ受信手段と、そのデータ受信手段が受信した算出データを出力するデータ出力手段とを備えたデータ入力及び結果出力装置であって、
データ入力手段は、  近赤外線を含む測定光を発光する発光手段と、  その発光手段にて発射される測定光を用いて被測定部位に測定光が反射した反射光を受光する受光手段と、  その受光手段が受光した反射光をデータ送信手段が送信するための送信用データへ変換するデータ変換手段と、  反射光または送信用データが適正範囲か否かを判断するデータ確認手段と、  そのデータ確認手段が適正範囲ではない旨の非適正データを受けてデータの再入力を促す再入力要求手段とを備えた血液中グルコース濃度測定および結果出力のためのデータ入出力装置。
【請求項４】
データ入力手段には、校正データを入力するために測定光を反射した反射光が周波数調整の基準値となる校正用物質に対して測定光を照射し且つ反射光を受光部が受光する校正用ユニットを備え、
その校正用ユニットは、データの再入力の前に作動させることとした請求項２または請求項３のいずれかに記載した血液中グルコース濃度測定および結果出力のためのデータ入出力装置。
【請求項５】
データ出力手段には、算出データを外部記憶手段へ記録する外部記憶出力手段を備えた請求項１から請求項４のいずれかに記載した血液中グルコース濃度測定および結果出力のためのデータ入出力装置。
【請求項６】
医療情報を蓄積した医療情報データベースと、
その医療情報データベースに蓄積した医療情報を出力する医療情報出力手段を備えた請求項１から請求項５のいずれかに記載したグルコース濃度測定および結果出力のためのデータ入出力装置。
【請求項７】
データ受信手段は、算出ユニットから医療情報を受信するとともに、
受信したその医療情報を出力可能とした請求項１から請求項６のいずれかに記載した血液中グルコース濃度測定および結果出力のためのデータ入出力装置。
【請求項８】
課金用データを蓄積する課金用データベースを備えるとともに、
その課金用データベースは、データ送信手段が測定用データを送信した際またはデータ受信手段が算出データを受信した際に課金用カウントデータを受信して蓄積することとした請求項１から請求項７のいずれかに記載した血液中グルコース濃度測定および結果出力のためのデータ入出力装置。
【請求項９】
被測定者が利用料金を支払うための課金用データを入力する課金用データ入力手段を備え、
データ送信手段は、その課金用データを課金用データベースが備えられた算出ユニットへ送信することとした請求項１から請求項８のいずれかに記載した血液中グルコース濃度測定および結果出力のためのデータ入出力装置。
【請求項１０】
課金用データ入力手段は、携帯電話に接続してその携帯電話の電話番号を読み取る携帯電話接続手段を備えたものとし、
その携帯電話接続手段が読み取った電話番号を課金用データとして、データ送信手段が測定用データとともに送信することとした請求項９に記載した血液中グルコース濃度測定および結果出力のためのデータ入出力装置。
【請求項１１】
被測定者を識別するためのＩＤデータを記録したＩＤカードからＩＤデータを読み取るＩＤデータ入力手段を備え、
そのＩＤデータ入力手段が読み取ったＩＤデータは、データ送信手段が測定用データとともに送信することとし、
データ出力手段は、データ受信手段が算出ユニットにて算出されて受信した算出データをＩＤカードへ書き込む機能を備えた請求項１から請求項１０のいずれかに記載した血液中グルコース濃度測定および結果出力のためのデータ入出力装置。
【請求項１２】
データ入力手段は、ＩＤデータ入力手段が読み取ったＩＤデータを作動開始条件とした請求項１０または請求項１１に記載した血液中グルコース濃度測定および結果出力のためのデータ入出力装置。
【請求項１３】
データ入出力装置によって被測定者の被測定部位による血液中グルコース濃度測定のための測定用データを入力されて送信される測定用データを受信して、算出データを出力するグルコース濃度測定算出装置であって、
測定用データを受信するデータ受信手段と、
そのデータ受信手段が受信した測定用データを用いてグルコース濃度である算出データを算出する演算手段と、
その演算手段が算出した算出データをデータ入出力装置へ送信するデータ送信手段とを備えたグルコース濃度算出装置。
【請求項１４】
データ受信手段が受信した測定用データまたは演算手段が算出したグルコース濃度が適正範囲でない場合には、データ送信手段がデータの再入力を促す催促データをデータ入出力装置へ送信することとした請求項１３記載のグルコース濃度算出装置。
【請求項１５】
医療情報を蓄積した医療情報データベースと、
その医療情報データベースから算出データに基づいた適正な医療情報を抽出する適正情報抽出手段とを備え、
データ送信手段は、その適正情報抽出手段が抽出した適正な医療情報を算出データとともに送信することとした請求項１３または請求項１４のいずれかに記載のグルコース濃度算出装置。
【請求項１６】
データ受信手段は、課金用データを受信するとともに、
受信したその課金用データを蓄積する課金用データベースを備えた請求項１３から請求項１５のいずれかに記載のグルコース濃度算出装置。
【請求項１７】
データ受信手段は、被測定者を識別するためのＩＤデータを受信し、
データ送信手段は、そのＩＤデータを算出データとともに送信することとした請求項１３から請求項１６のいずれかに記載のグルコース濃度算出装置。
【請求項１８】
近赤外線を含む測定光を発光する発光手順、その発光手順にて発射される測定光を用いて被測定部位に測定光が反射した反射光を受光する受光手順、及びその受光手順が受光した反射光をデータ送信手順にて送信するための送信用データへ変換するデータ変換手順を備えて被測定者の被測定部位による血液中グルコース濃度測定のための測定用データを入力するデータ入力手順と、
そのデータ入力手順によって入力された測定用データを別途設けられた算出ユニットへ送信するデータ送信手順と、測定用データを用いて算出ユニットが血液中グルコース濃度を算出した算出データを受信するデータ受信手順と、そのデータ受信手順にて受信した算出データを出力するデータ出力手順とを備えた血液中グルコース濃度測定および結果出力方法。
【請求項１９】
近赤外線を含む測定光を発光する発光手順、その発光手順にて発射される測定光を用いて被測定部位に測定光が反射した反射光を受光する受光手順、及びその受光手順が受光した反射光をデータ送信手順にて送信するための送信用データへ変換するデータ変換手順を備えて被測定者の被測定部位による血液中グルコース濃度測定のための測定用データを入力するデータ入力手順と、
そのデータ入力手順によって入力された測定用データを別途設けられた算出ユニットへ送信するデータ送信手順と、
測定用データを用いて算出ユニットが血液中グルコース濃度を算出した算出データまたは適正範囲ではない算出データである場合にデータの再入力を促す催促データを受信するデータ受信手順と、そのデータ受信手順にて受信した算出データまたは催促データを出力するデータ出力手順とを備えた血液中グルコース濃度測定および結果出力のためのデータ入出力方法。
【請求項２０】
近赤外線を含む測定光を発光する発光手順、  その発光手順にて発射される測定光を用いて被測定部位に測定光が反射した反射光を受光する受光手順、  その受光手順が受光した反射光をデータ送信手順にて送信するための送信用データへ変換するデータ変換手順、  反射光または送信用データが適正範囲か否かを判断するデータ確認手順、  およびそのデータ確認手順において適正範囲ではない旨の非適正データを受けてデータの再入力を促す再入力要求手順とを備えたデータ入力手順と、
そのデータ入力手順によって入力された測定用データを別途設けられた算出ユニットへ送信するデータ送信手順と、
測定用データを用いて算出ユニットが血液中グルコース濃度を算出した算出データを受信するデータ受信手順と、そのデータ受信手順にて受信した算出データを出力するデータ出力手順とを備えた血液中グルコース濃度測定および結果出力のためのデータ入出力方法。
【請求項２１】
校正データを入力するために測定光を反射した反射光が周波数調整の基準値となる校正用物質に対して測定光を照射し且つ反射光を受光部が受光する校正手順を備え、
その校正手順は、データの再入力の前に作動させることとした請求項１９または請求項２０のいずれかに記載した血液中グルコース濃度測定および結果出力のためのデータ入出力方法。
【請求項２２】
医療情報を医療情報データベースへ蓄積する医療情報蓄積手順と、
その医療情報データベースに蓄積した医療情報を出力する医療情報出力手順を備えた請求項１８から請求項２１のいずれかに記載したグルコース濃度測定および結果出力のためのデータ入出力方法。
【請求項２３】
被測定者が利用料金を支払うための課金用データを入力する課金用データ入力手順を備え、
データ送信手順は、その課金用データを課金用データベースが備えられた算出ユニットへ送信することとした請求項１８から請求２２のいずれかに記載した血液中グルコース濃度測定および結果出力のためのデータ入出力方法。
【請求項２４】
被測定者を識別するためのＩＤデータを記録したＩＤカードからＩＤデータを読み取るＩＤデータ入力手順を備え、
そのＩＤデータ入力手順にて読み取ったＩＤデータは、データ送信手順にて測定用データとともに送信することとし、
データ出力手順は、データ受信手段が算出ユニットにて算出されて受信した算出データをＩＤカードへ書き込む算出データ書き込み手順を備えた請求項１８から請求項２４のいずれかに記載した血液中グルコース濃度測定および結果出力のためのデータ入出力方法。
【請求項２５】
被測定者の被測定部位による血液中グルコース濃度測定のための測定用データを入力されて送信される測定用データを受信して、算出データを出力するグルコース濃度測定算出方法であって、
測定用データを受信するデータ受信手順と、
そのデータ受信手順にて受信した測定用データを用いてグルコース濃度である算出データを算出する演算手順と、
その演算手順にて算出した算出データをデータ入出力装置へ送信するデータ送信手順とを備えた血液中グルコース濃度算出方法。
【請求項２６】
医療情報を医療情報データベースへ蓄積する医療情報蓄積手順と、
その医療情報データベースから算出データに基づいた適正な医療情報を抽出する適正情報抽出手順とを備え、
データ送信手順は、その適正情報抽出手順にて抽出した適正な医療情報を算出データとともに送信することとした請求項２５に記載の血液中グルコース濃度算出方法。
【請求項２７】
データ受信手順では、被測定者を識別するためのＩＤデータを受信し、
データ送信手順では、そのＩＤデータを算出データとともに送信することとした請求項２５または請求項２６のいずれかに記載の血液中グルコース濃度算出方法。
【請求項２８】
コンピュータに対し、血液中グルコース濃度測定および結果出力のためのデータ入出力方法を実行させるためのプログラムであって、
そのプログラムは、近赤外線を含む測定光を発光する発光手順、その発光手順にて発射される測定光を用いて被測定部位に測定光が反射した反射光を受光する受光手順、及びその受光手順が受光した反射光をデータ送信手順にて送信するための送信用データへ変換するデータ変換手順を備えて被測定者の被測定部位による血液中グルコース濃度測定のための測定用データを入力するデータ入力手順と、
そのデータ入力手順によって入力された測定用データを別途設けられた算出ユニットへ送信するデータ送信手順と、
測定用データを用いて算出ユニットが血液中グルコース濃度を算出した算出データを受信するデータ受信手順と、
そのデータ受信手順にて受信した算出データを出力するデータ出力手順とコンピュータに実行させるためのコンピュータプログラム。
【請求項２９】
コンピュータに対し、血液中グルコース濃度測定および結果出力のためのデータ入出力方法を実行させるためのプログラムであって、
そのプログラムは、近赤外線を含む測定光を発光する発光手順、その発光手順にて発射される測定光を用いて被測定部位に測定光が反射した反射光を受光する受光手順、及びその受光手順が受光した反射光をデータ送信手順にて送信するための送信用データへ変換するデータ変換手順を備えて被測定者の被測定部位による血液中グルコース濃度測定のための測定用データを入力するデータ入力手順と、
そのデータ入力手順によって入力された測定用データを別途設けられた算出ユニットへ送信するデータ送信手順と、
測定用データを用いて算出ユニットが血液中グルコース濃度を算出した算出データまたは適正範囲ではない算出データである場合にデータの再入力を促す催促データを受信するデータ受信手順と、そのデータ受信手順にて受信した算出データまたは催促データを出力するデータ出力手順とコンピュータに実行させるためのコンピュータプログラム。
【請求項３０】
コンピュータに対し、血液中グルコース濃度測定および結果出力のためのデータ入出力方法を実行させるためのプログラムであって、
そのプログラムは、近赤外線を含む測定光を発光する発光手順、  その発光手順にて発射される測定光を用いて被測定部位に測定光が反射した反射光を受光する受光手順、  その受光手順が受光した反射光をデータ送信手順にて送信するための送信用データへ変換するデータ変換手順、  反射光または送信用データが適正範囲か否かを判断するデータ確認手順、  およびそのデータ確認手順において適正範囲ではない旨の非適正データを受けてデータの再入力を促す再入力要求手順とを備えたデータ入力手順と、
そのデータ入力手順によって入力された測定用データを別途設けられた算出ユニットへ送信するデータ送信手順と、
測定用データを用いて算出ユニットが血液中グルコース濃度を算出した算出データを受信するデータ受信手順と、そのデータ受信手順にて受信した算出データを出力するデータ出力手順とコンピュータに実行させるためのコンピュータプログラム。
【請求項３１】
校正データを入力するために測定光を反射した反射光が周波数調整の基準値となる校正用物質に対して測定光を照射し且つ反射光を受光部が受光する校正手順を備え、
その校正手順は、データの再入力の前に作動させることとした請求項２８から請求項３０のいずれかに記載のコンピュータプログラム。
【請求項３２】
医療情報を医療情報データベースへ蓄積する医療情報蓄積手順と、
その医療情報データベースに蓄積した医療情報を出力する医療情報出力手順を備えた請求項２８から請求項３１のいずれかに記載のコンピュータプログラム。
【請求項３３】
被測定者が利用料金を支払うための課金用データを入力する課金用データ入力手順を備え、
データ送信手順は、その課金用データを課金用データベースが備えられた算出ユニットへ送信することとした請求項２８から請求項３２のいずれかに記載のコンピュータプログラム。
【請求項３４】
被測定者を識別するためのＩＤデータを記録したＩＤカードからＩＤデータを読み取るＩＤデータ入力手順を備え、
そのＩＤデータ入力手順にて読み取ったＩＤデータは、データ送信手順にて測定用データとともに送信することとし、
データ出力手順は、データ受信手段が算出ユニットにて算出されて受信した算出データをＩＤカードへ書き込む算出データ書き込み手順を備えた請求項２８から請求項３３のいずれかに記載のコンピュータプログラム。
【請求項３５】
コンピュータに対し、被測定者の被測定部位による血液中グルコース濃度測定のための測定用データを入力されて送信される測定用データを受信して、算出データを出力するグルコース濃度測定算出方法を実行させるためのプログラムであって、
そのプログラムは、測定用データを受信するデータ受信手順と、
そのデータ受信手順にて受信した測定用データを用いてグルコース濃度である算出データを算出する演算手順と、
その演算手順にて算出した算出データをデータ入出力装置へ送信するデータ送信手順とコンピュータに実行させるためのコンピュータプログラム。
【請求項３６】
医療情報を医療情報データベースへ蓄積する医療情報蓄積手順と、
その医療情報データベースから算出データに基づいた適正な医療情報を抽出する適正情報抽出手順とを備え、
データ送信手順は、その適正情報抽出手順にて抽出した適正な医療情報を算出データとともに送信することとした請求項３５記載のコンピュータプログラム。
【請求項３７】
データ受信手順では、被測定者を識別するためのＩＤデータを受信し、
データ送信手順では、そのＩＤデータを算出データとともに送信することとした請求項３５または請求項３６のいずれかに記載のコンピュータプログラム。
【発明の詳細な説明】
【０００１】
【発明が属する技術分野】
本発明は、非侵襲の手法による分光測定用データ取り込み技術に関する。更に詳しくは、測定対象から入力されるデータと、そのデータに狂いが生じた場合に校正するためのデータとを入力可能な分光測定用データ取り込み方法に関する。
【０００２】
【先行技術】
従来の非侵襲の手法による血糖値測定技術は、たとえば、特許文献１に記載されている。ここには、血中のグルコース濃度を非侵襲にて測定可能な測定装置を実現するための技術が開示されている。
【０００３】
【特許文献１】
特開２００２−２０２２５８号公報
【０００４】
【発明が解決しようとする課題】
特許文献１に記載された技術の中核は、入力データによる演算をして血液中のグルコース濃度測定するユニット部分にある。還元すれば、この算出ユニット部分は、精度向上のために日進月歩する。
しかし、日進月歩する算出ユニット部分を含めた一体型装置を発売するのでは、効率が悪い。
【０００５】
そこで、本発明が解決しようとする課題は、ユニット部分を分離し、末端ユーザにとっては日進月歩する部分とは無関係に、最新の算出技術による算出結果を提供できるような血液中グルコース濃度の測定技術を提供することにある。
【０００６】
ここで、請求項１から請求項１２、請求項１８から請求項２４、請求項２９から請求項３４に記載する発明は、算出ユニットから分離されたデータ入出力ユニットを提供することで、最新の算出技術による算出結果を提供できるような血液中グルコース濃度の測定技術を提供することである。
また、請求項１３から請求項１７、請求項２５から請求項２８、請求項３５から請求項３７に記載する発明は、データ入出力ユニットから分離された算出ユニットを提供することで、最新の算出技術による算出結果を提供できるような血液中グルコース濃度の測定技術を提供することである。
【０００７】
【課題を解決するための手段】
本発明は、上記した課題を解決するため、データ入出力ユニットとそのデータ入出力ユニットから入力されたデータを用いて算出する算出ユニットとを分離して別々に提供する、という技術を用いる。
【０００８】
（請求項１）
請求項１記載の発明は、例えば図２などに示すように、被測定者の被測定部位による血液中グルコース濃度測定のための測定用データを入力するデータ入力手段と、そのデータ入力手段によって入力された測定用データを別途設けられた算出ユニットへ送信するデータ送信手段と、測定用データを用いて算出ユニットが血液中グルコース濃度を算出した算出データを受信するデータ受信手段と、そのデータ受信手段が受信した算出データを出力するデータ出力手段とを備えたデータ入力及び結果出力装置に係る。
ここでデータ入力手段は、近赤外線を含む測定光を発光する発光手段と、その発光手段にて発射される測定光を用いて被測定部位に測定光が反射した反射光を受光する受光手段と、その受光手段が受光した反射光をデータ送信手段が送信するための送信用データへ変換するデータ変換手段とを備える。
なお、算出データ出力手段は、算出データを画面出力する画面出力手段を備えてもよい。
【０００９】
（用語説明）
「被測定部位」とは、測定を行う被測定者の指、頬、手の平、腕など、身体の一部位である。非侵襲にて血液中のグルコース濃度を測定することができる。測定原理については、例えば、特開2002-202258号に記載されている。
特開2002-202258号に記載された「血液中グルコース濃度測定」の原理を簡単に説明する。波長範囲０．８〜２．５μｍの近赤外光の波長を連続的に微細分割し被測定対象物に照射する近赤外照射手段と、 前記近赤外線照射手段により照射され前記被測定対象物を透過した光を受光し光電変換する光電変換手段と、
前記光電変換手段により光電変換された検出信号に基づいて得られた吸光度スペクトルを解析演算することにより前記被測定対象物内の血液中のグルコース濃度を定量するグルコース濃度算出手段とを備えることを特徴とする分光光学的血糖値測定装置を用いての測定である。
【００１０】
「データ入力及び結果出力装置」と「算出ユニット」とは、互いにデータの送受信が行えるように接続されている。この接続方法は、有線接続でも良いが、通信技術によってデータの送受信が行えるように接続されているものでも良い。通信技術による接続の場合、インターネットを介する場合、専用線にて接続される場合のいずれでも良い。
【００１１】
（作用）
データ入力手段における発光手段が近赤外線を含む測定光を発光し、その発光手段にて発射される測定光を用いて被測定部位に測定光が反射した反射光を受光手段が受光する。そのデータ入力手段によって入力された測定用データは、データ送信手段が別途設けられた算出ユニットへ送信する。
測定用データを受信した算出ユニットの演算手段は、その測定用データを用いて血液中グルコース濃度を算出データとして演算する。そして、その算出データをデータ入力及び結果出力装置へ送信する。
送信されてきた算出データは、データ受信手段が受信し、算出データ出力手段の画面出力手段が出力し、被測定者の利用に供する。被測定者としては、算出ユニットがデータ入力及び結果出力装置とは別に存在することについて特段のデメリットはない。一方、算出ユニットは、データ入力及び結果出力装置とは別に、改善改良することができる。
【００１２】
（請求項２）
請求項２記載の発明は、例えば図３に示すように、算出ユニットにおける演算手段が算出したグルコース濃度が適正範囲でない場合には、データ送信手段がデータの再入力を促す催促データをデータ入力及び結果出力装置へ送信することとし、データ入力及び結果出力装置は、ユニットにおけるデータ受信手段は、催促データを受信すると催促データ出力手段によって、その催促データを出力することとしたデータ入力及び結果出力装置に係る。
【００１３】
（用語説明）
「算出したグルコース濃度が適正範囲でない場合」とは、現実にあり得ないような範囲をいう。
「催促データ」とは、例えば「入力データエラーにつき、データの再入力を願います」といった内容が出力されるようなデータである。画面表示の他、音声による出力でもよい。
【００１４】
算出ユニットにおいては、演算手段が算出したグルコース濃度が適正範囲でない場合には、データ送信手段がデータの再入力を促す催促データをデータ入力及び結果出力装置へ送信する。データ入力及び結果出力装置においては、データ受信手段が催促データを受信し、催促データ出力手段によって、その催促データを画面出力する。これによって、被測定者は、データ入力手段を用いて測定用データを再度取り込む。
【００１５】
（請求項３）
請求項３記載の発明は、例えば図４に示すように、データ入力手段は、近赤外線を含む測定光を発光する発光手段と、その発光手段にて発射される測定光を用いて被測定部位に測定光が反射した反射光を受光する受光手段と、その受光手段が受光した反射光をデータ送信手段が送信するための送信用データへ変換するデータ変換手段と、反射光または送信用データが適正範囲か否かを判断するデータ確認手段と、そのデータ確認手段が適正範囲ではない旨の非適正データを受けてデータの再入力を促す再入力要求手段とを備えた血液中グルコース濃度測定および結果出力のためのデータ入出力装置である。
データ出力手段は、算出データを画面出力する画面出力手段を備えてもよい。
【００１６】
（用語説明）
データ確認手段につき、反射光または送信用データのいずれかが適正範囲か否かを判断することとしているのは、反射光の適正範囲を確認するメカニズムを採用してもよいし、データ変換手段が変換した後の送信用データの適正範囲を確認するメカニズムを採用してもよい趣旨である。
【００１７】
（作用）
発光手段近赤外線を含む測定光を発光し、被測定部位に測定光が反射した反射光を受光手段が受光する。その受光手段が受光した反射光を、データ変換手段はデータ送信手段が送信するための送信用データへ変換する。ここで、確認手段として反射光の適正範囲を確認するメカニズムを採用している場合には、送信用データへの変換前に再入力要求手段がデータの再入力を要求する。データ変換手段が変換した後の送信用データの適正範囲を確認するメカニズムを採用している場合には、送信用データへの変換後に再入力要求手段がデータの再入力を要求する。
いずれの場合も、算出データを算出するに値しない測定用データは再入力が促され、算出する価値のある測定用データのみを算出ユニットへ送信し、算出データを得るようにしている。
【００１８】
（請求項４）
請求項４記載の発明は、請求項２または請求項３のいずれかに記載した血液中グルコース濃度測定および結果出力のためのデータ入出力装置を限定したものである。
すなわち、データ入力手段には、校正データを入力するために測定光を反射した反射光が周波数調整の基準値となる校正用物質に対して測定光を照射し且つ反射光を受光部が受光する校正用ユニットを備え、  その校正用ユニットは、データの再入力の前に作動させることとしたものである。例えば、図４に示している。
【００１９】
（用語説明）
「校正データ」とは、データ入力手段を初期化することができるデータである。データ入力手段は、様々な原因、例えば長時間の稼働による加熱などで「暴走」を生じる。暴走が生じた場合には初期化することが合理的な方法である。そこで、データ入力手段を初期化可能な校正データを入力するために測定光を反射した反射光が周波数調整の基準値となる校正用物質に対して測定光を照射し且つ反射光を受光部が受光する校正用ユニットを備えたものである。なお、校正用ユニットはデータの再入力の前に作動させることとしているが、データ入力手段の暴走が原因であると特定できる場合にのみデータの再入力の前に作動させることとしてもよい。
【００２０】
（作用）
請求項２または請求項３の構成要件により、催促データを受信したりまたは非適正データであるために、データの再入力が要求されたとする。このようなデータの再入力の要求が起きる原因は、被測定者によるデータ入力の際の不備ではなく、データ入力手段の暴走が原因である場合もある。このため、校正用ユニットがデータの再入力の前に作動させ、適正な測定データの入力の前提条件を確保する。
【００２１】
（請求項５）
請求項５記載の発明は、請求項１から請求項４のいずれかに記載した血液中グルコース濃度測定および結果出力のためのデータ入出力装置を限定したものであり、  データ出力手段には、算出データを外部記憶手段へ記録する外部記憶出力手段を備えたことを特徴とする。
【００２２】
（用語説明および作用）
「外部記憶出力手段」とは、取り外しが可能な外部記憶手段、すなわちデータ記録媒体への出力が行えるドライブ装置である。データ記録媒体としては、磁気記録によるフレキシブルディスクやメモリカード、光磁気記録によるフラッシュメモリなどである。
外部記憶出力手段によって外部記憶手段への算出データの記録が可能であるので、バックアップ、データの整理や加工、他の場所における検証などが行える。
【００２３】
（請求項６）
請求項６記載の発明は、請求項１から請求項５のいずれかに記載した血液中グルコース濃度測定および結果出力のためのデータ入出力装置を限定したものであり、  医療情報を蓄積した医療情報データベースと、  その医療情報データベースに蓄積した医療情報を出力する医療情報出力手段を備えたことを特徴とする。例えば、図５に示している。
【００２４】
（用語説明および作用）
「医療情報」とは、治療の必要性、運動の必要性といった一般情報、医療機関やスポーツ施設やカウンセリング施設の紹介情報などである。
【００２５】
（請求項７）
請求項７記載の発明は、請求項１から請求項６のいずれかに記載した血液中グルコース濃度測定および結果出力のためのデータ入出力装置を限定したものであり、  データ受信手段は、算出ユニットから医療情報を受信するとともに、受信したその医療情報を出力可能としたことを特徴とする。例えば、図２に示している。
【００２６】
（用語説明）
医療情報の出力は、例えば医療情報出力手段としてのプリンタ、画面出力、外部記憶出力手段などがある。
なお、算出ユニットに適正情報抽出手段を備えることによって、算出データに基づく適切な情報を抽出し、送信することも可能である。たとえば、血液中のグルコース濃度が標準よりやや高い算出データであれば、算出ユニットにおいて「定期的な運動の必要性」といった医療情報を抽出して算出データとともに送信し、被測定者の利用に供する。
【００２７】
（請求項８）
請求項８記載の発明は、請求項１から請求項６のいずれかに記載した血液中グルコース濃度測定および結果出力のためのデータ入出力装置を限定したものであり、  課金用データを蓄積する課金用データベースを備えるとともに、  その課金用データベースは、データ送信手段が測定用データを送信した際またはデータ受信手段が算出データを受信した際に課金用カウントデータを受信して蓄積することとしたことを特徴とする。例えば、図４に示している。
【００２８】
（用語説明および作用）
「課金用データベース」につき、データ送信手段が測定用データを送信した際またはデータ受信手段が算出データを受信した際に課金用カウントデータを受信して蓄積することとしているのは、適正範囲の測定用データであれば算出ユニットを稼働させて算出データを得られる確からしさがあるので、被測定者に対して対価を要求することに不合理はないからである。課金用カウントデータを受信すると、課金用データベースはそれを蓄積する。
【００２９】
（請求項９）
請求項９記載の発明は、請求項１から請求項８のいずれかに記載した血液中グルコース濃度測定および結果出力のためのデータ入出力装置を限定したものである。すなわち、被測定者が利用料金を支払うための課金用データを入力する課金用データ入力手段を備え、  データ送信手段は、その課金用データを課金用データベースが備えられた算出ユニットへ送信することとしたことを特徴とする。例えば、図７に示す。
【００３０】
（用語説明）
「課金用データ入力手段」とは、被測定者を特定できるデータを入力できる装置のことである。例えば、測定用データをデータ送信手段が送信する回数をカウントできるカウンター装置である
【００３１】
（作用）
課金用データ入力手段は、被測定者が利用料金を支払うための課金用データを入力し、データ送信手段は、その課金用データを課金用データベースが備えられた算出ユニットへ送信する。ここにおいて、算出ユニットにおいて課金用データを蓄積することができる。
【００３２】
（請求項１０）
請求項１０記載の発明は、請求項９に記載した血液中グルコース濃度測定および結果出力のためのデータ入出力装置を限定したものであり、  課金用データ入力手段は、携帯電話に接続してその携帯電話の電話番号を読み取る携帯電話接続手段を備えたものとし、  その携帯電話接続手段が読み取った電話番号を課金用データとして、データ送信手段が測定用データとともに送信することを特徴とする。例えば、図９に示している。
【００３３】
（用語説明および作用）
携帯電話の番号を読み取り、算出データの算出の対価を携帯電話の通話料金とともに課金して精算する場合に有効である。
【００３４】
（請求項１１）
請求項１１記載の発明は、請求項１から請求項１０のいずれかに記載した血液中グルコース濃度測定および結果出力のためのデータ入出力装置を限定したものである。すなわち、被測定者を識別するためのＩＤデータを記録したＩＤカードからＩＤデータを読み取るＩＤデータ入力手段を備え、  そのＩＤデータ入力手段が読み取ったＩＤデータは、データ送信手段が測定用データとともに送信することとし、  データ出力手段は、データ受信手段が算出ユニットにて算出されて受信した算出データをＩＤカードへ書き込む機能を備えたことを特徴とする。例えば、図８に示している。
【００３５】
（用語説明）
「ＩＤカード」とは、例えば被測定者を会員制とした場合に、その会員である旨を証明できるデータを記録して会員へ発行するＩＣチップを埋め込んだカードである。データ出力手段によって、ＩＤカードへ算出データを書き込むこともできる。「ＩＤデータ入力手段」は、そのＩＣカードのデータを読み取り可能なカードリーダとなる。
【００３６】
（作用）
ＩＤデータ入力手段が、被測定者を識別するためのＩＤデータを記録したＩＤカードからＩＤデータを読み取る。そのＩＤデータ入力手段が読み取ったＩＤデータは、測定用データとともにデータ送信手段によって送信される。算出ユニットにて算出されてデータ受信手段が受信した算出データは、データ出力手段がＩＤカードへ書き込む。
【００３７】
（請求項１２）
請求項１２記載の発明は、請求項１０または請求項１１のいずれかに記載した血液中グルコース濃度測定および結果出力のためのデータ入出力装置を限定したものであり、データ入力手段は、ＩＤデータ入力手段が読み取ったＩＤデータを作動開始条件としたことを特徴とする。例えば、図８に示している。
【００３８】
（作用）
データ入力手段は、ＩＤデータ入力手段が読み取ったＩＤデータを作動開始条件としているので、ＩＤデータを保有している被測定者によって、必要な場合にのみ作動させることとなる。
【００３９】
（請求項１３）
請求項１３記載の発明は、データ入出力装置によって被測定者の被測定部位による血液中グルコース濃度測定のための測定用データを入力されて送信される測定用データを受信して、算出データを出力するグルコース濃度測定算出装置であって、  測定用データを受信するデータ受信手段と、  そのデータ受信手段が受信した測定用データを用いてグルコース濃度である算出データを算出する演算手段と、  その演算手段が算出した算出データをデータ入出力装置へ送信するデータ送信手段とを備えたグルコース濃度算出装置に係る。例えば、図２に示すものであり、請求項１記載の発明のサブコンビネーションとなる。
【００４０】
（請求項１４）
請求項１４記載の発明は、請求項１３記載のグルコース濃度算出装置を限定したものであり、  データ受信手段が受信した測定用データまたは演算手段が算出したグルコース濃度が適正範囲でない場合には、データ送信手段がデータの再入力を促す催促データをデータ入出力装置へ送信することとしたことを特徴とする。
例えば図３に示すものであり、請求項２記載の発明のサブコンビネーションとなる。
【００４１】
（請求項１５）
請求項１５記載の発明は、請求項１３または請求項１４のいずれかに記載のグルコース濃度算出装置を限定したものであり、  医療情報を蓄積した医療情報データベースと、  その医療情報データベースから算出データに基づいた適正な医療情報を抽出する適正情報抽出手段とを備え、  データ送信手段は、その適正情報抽出手段が抽出した適正な医療情報を算出データとともに送信することとしたことを特徴とする。
例えば図２、図５に示したものであり、請求項７記載の発明のサブコンビネーションとなる。
【００４２】
（請求項１６）
請求項１６記載の発明は、請求項１３から請求項１５のいずれかに記載のグルコース濃度算出装置を限定したものであり、  データ受信手段は課金用データを受信するとともに、  受信したその課金用データを蓄積する課金用データベースを備えたことを特徴とする。
例えば図７に示したものであり、請求項９記載の発明のサブコンビネーションとなる。
【００４３】
（請求項１７）
請求項１７記載の発明は、請求項１３から請求項１６のいずれかに記載のグルコース濃度算出装置を限定したものであり、データ受信手段は、被測定者を識別するためのＩＤデータを受信し、  データ送信手段は、そのＩＤデータを算出データとともに送信することとしたことを特徴とする。
例えば図８に示したものであり、請求項１１記載の発明のサブコンビネーションとなる。
【００４４】
（請求項１８）
請求項１８記載の発明は、  近赤外線を含む測定光を発光する発光手順、その発光手順にて発射される測定光を用いて被測定部位に測定光が反射した反射光を受光する受光手順、及びその受光手順が受光した反射光をデータ送信手順にて送信するための送信用データへ変換するデータ変換手順を備えて被測定者の被測定部位による血液中グルコース濃度測定のための測定用データを入力するデータ入力手順と、  そのデータ入力手順によって入力された測定用データを別途設けられた算出ユニットへ送信するデータ送信手順と、測定用データを用いて算出ユニットが血液中グルコース濃度を算出した算出データを受信するデータ受信手順と、そのデータ受信手順にて受信した算出データを出力するデータ出力手順とを備えた方法であって、  データ出力手順は、算出データを画面出力する画面出力手順を備えた血液中グルコース濃度測定および結果出力方法に係る。
【００４５】
（請求項１９）
請求項１９記載の発明は、  近赤外線を含む測定光を発光する発光手順、その発光手順にて発射される測定光を用いて被測定部位に測定光が反射した反射光を受光する受光手順、及びその受光手順が受光した反射光をデータ送信手順にて送信するための送信用データへ変換するデータ変換手順を備えて被測定者の被測定部位による血液中グルコース濃度測定のための測定用データを入力するデータ入力手順と、  そのデータ入力手順によって入力された測定用データを別途設けられた算出ユニットへ送信するデータ送信手順と、  測定用データを用いて算出ユニットが血液中グルコース濃度を算出した算出データまたは適正範囲ではない算出データである場合にデータの再入力を促す催促データを受信するデータ受信手順と、そのデータ受信手順にて受信した算出データまたは催促データを出力するデータ出力手順とを備えた血液中グルコース濃度測定および結果出力のためのデータ入出力方法に係る。
【００４６】
（請求項２０）
請求項２０記載の発明は、近赤外線を含む測定光を発光する発光手順、その発光手順にて発射される測定光を用いて被測定部位に測定光が反射した反射光を受光する受光手順、その受光手順が受光した反射光をデータ送信手順にて送信するための送信用データへ変換するデータ変換手順、反射光または送信用データが適正範囲か否かを判断するデータ確認手順、およびそのデータ確認手順において適正範囲ではない旨の非適正データを受けてデータの再入力を促す再入力要求手順とを備えたデータ入力手順と、  そのデータ入力手順によって入力された測定用データを別途設けられた算出ユニットへ送信するデータ送信手順と、  測定用データを用いて算出ユニットが血液中グルコース濃度を算出した算出データを受信するデータ受信手順と、  そのデータ受信手順にて受信した算出データを出力するデータ出力手順とを備えた血液中グルコース濃度測定および結果出力のためのデータ入出力方法に係る。
【００４７】
（請求項２１）
請求項２１記載の発明は、請求項１９または請求項２０のいずれかに記載した血液中グルコース濃度測定および結果出力のためのデータ入出力方法を限定したものであり、
校正データを入力するために測定光を反射した反射光が周波数調整の基準値となる校正用物質に対して測定光を照射し且つ反射光を受光部が受光する校正手順を備え、その校正手順は、データの再入力の前に作動させることとしたことを特徴とする。
【００４８】
（請求項２２）
請求項２２記載の発明は、請求項１８から請求項２１のいずれかに記載した血液中グルコース濃度測定および結果出力のためのデータ入出力方法を限定したものであり、
医療情報を医療情報データベースへ蓄積する医療情報蓄積手順と、その医療情報データベースに蓄積した医療情報を出力する医療情報出力手順を備えたことを特徴とする。
【００４９】
（請求項２３）
請求項２３記載の発明は、請求項１８から請求項２２のいずれかに記載した血液中グルコース濃度測定および結果出力のためのデータ入出力方法を限定したものであり、
被測定者が利用料金を支払うための課金用データを入力する課金用データ入力手順を備え、  データ送信手順は、その課金用データを課金用データベースが備えられた算出ユニットへ送信することとしたことを特徴とする。
【００５０】
（請求項２４）
請求項２４記載の発明は、請求項１８から請求項２３のいずれかに記載した血液中グルコース濃度測定および結果出力のためのデータ入出力方法を限定したものであり、
被測定者を識別するためのＩＤデータを記録したＩＤカードからＩＤデータを読み取るＩＤデータ入力手順を備え、  そのＩＤデータ入力手順にて読み取ったＩＤデータは、データ送信手順にて測定用データとともに送信することとし、
データ出力手順は、データ受信手段が算出ユニットにて算出されて受信した算出データをＩＤカードへ書き込む算出データ書き込み手順を備えたこととしたことを特徴とする。
【００５１】
（請求項２５）
請求項２５記載の発明は、被測定者の被測定部位による血液中グルコース濃度測定のための測定用データを入力されて送信される測定用データを受信して、算出データを出力するグルコース濃度測定算出方法に係る。
すなわち、測定用データを受信するデータ受信手順と、  そのデータ受信手順にて受信した測定用データを用いてグルコース濃度である算出データを算出する演算手順と、  その演算手順にて算出した算出データをデータ入出力装置へ送信するデータ送信手順とを備えた血液中グルコース濃度算出方法である。
【００５２】
（請求項２６）
請求項２６記載の発明は、請求項２５に記載の血液中グルコース濃度算出方法を限定したものであり、
医療情報を医療情報データベースへ蓄積する医療情報蓄積手順と、  その医療情報データベースから算出データに基づいた適正な医療情報を抽出する適正情報抽出手順とを備え、  データ送信手順は、その適正情報抽出手順にて抽出した適正な医療情報を算出データとともに送信することとしたことを特徴とする。
【００５３】
（請求項２７）
請求項２７記載の発明は、請求項２５または請求項２６のいずれかに記載の血液中グルコース濃度算出方法を限定したものであり、
データ受信手順では、被測定者を識別するためのＩＤデータを受信し、データ送信手順では、そのＩＤデータを算出データとともに送信することとしたことを特徴とする。
【００５４】
（請求項２８）
請求項２８記載の発明は、コンピュータに対し、血液中グルコース濃度測定および結果出力のためのデータ入出力方法を実行させるためのプログラムに係る。
そのプログラムは、近赤外線を含む測定光を発光する発光手順、その発光手順にて発射される測定光を用いて被測定部位に測定光が反射した反射光を受光する受光手順、及びその受光手順が受光した反射光をデータ送信手順にて送信するための送信用データへ変換するデータ変換手順を備えて被測定者の被測定部位による血液中グルコース濃度測定のための測定用データを入力するデータ入力手順と、  そのデータ入力手順によって入力された測定用データを別途設けられた算出ユニットへ送信するデータ送信手順と、  測定用データを用いて算出ユニットが血液中グルコース濃度を算出した算出データを受信するデータ受信手順と、  そのデータ受信手順にて受信した算出データを出力するデータ出力手順とを備えたコンピュータプログラムである。
【００５５】
（請求項２９）
請求項２９記載の発明も、コンピュータに対し、血液中グルコース濃度測定および結果出力のためのデータ入出力方法を実行させるためのプログラムに係る。
そのプログラムは、近赤外線を含む測定光を発光する発光手順、その発光手順にて発射される測定光を用いて被測定部位に測定光が反射した反射光を受光する受光手順、及びその受光手順が受光した反射光をデータ送信手順にて送信するための送信用データへ変換するデータ変換手順を備えて被測定者の被測定部位による血液中グルコース濃度測定のための測定用データを入力するデータ入力手順と、  そのデータ入力手順によって入力された測定用データを別途設けられた算出ユニットへ送信するデータ送信手順と、  測定用データを用いて算出ユニットが血液中グルコース濃度を算出した算出データまたは適正範囲ではない算出データである場合にデータの再入力を促す催促データを受信するデータ受信手順と、そのデータ受信手順にて受信した算出データまたは催促データを出力するデータ出力手順とを備えたコンピュータプログラムである。
【００５６】
（請求項３０）
請求項３０記載の発明もまた、コンピュータに対し、血液中グルコース濃度測定および結果出力のためのデータ入出力方法を実行させるためのプログラムに係る。
そのプログラムは、近赤外線を含む測定光を発光する発光手順、  その発光手順にて発射される測定光を用いて被測定部位に測定光が反射した反射光を受光する受光手順、  その受光手順が受光した反射光をデータ送信手順にて送信するための送信用データへ変換するデータ変換手順、  反射光または送信用データが適正範囲か否かを判断するデータ確認手順、  およびそのデータ確認手順において適正範囲ではない旨の非適正データを受けてデータの再入力を促す再入力要求手順とを備えたデータ入力手順と、  そのデータ入力手順によって入力された測定用データを別途設けられた算出ユニットへ送信するデータ送信手順と、  測定用データを用いて算出ユニットが血液中グルコース濃度を算出した算出データを受信するデータ受信手順と、そのデータ受信手順にて受信した算出データを出力するデータ出力手順とを備えたコンピュータプログラムである。
【００５７】
（請求項３１）
請求項３１記載の発明は、請求項２８から請求項３０のいずれかに記載のコンピュータプログラムを限定したものであり、
校正データを入力するために測定光を反射した反射光が周波数調整の基準値となる校正用物質に対して測定光を照射し且つ反射光を受光部が受光する校正手順を備え、  その校正手順は、データの再入力の前に作動させることとしたコンピュータプログラムに係る。
【００５８】
（請求項３２）
請求項３２記載の発明は、請求項２８から請求項３１のいずれかに記載のコンピュータプログラムを限定したものであり、
医療情報を医療情報データベースへ蓄積する医療情報蓄積手順と、  その医療情報データベースに蓄積した医療情報を出力する医療情報出力手順を備えたコンピュータプログラムに係る。
【００５９】
（請求項３３）
請求項３３記載の発明は、請求項２８から請求項３２のいずれかに記載のコンピュータプログラムを限定したものであり、
被測定者が利用料金を支払うための課金用データを入力する課金用データ入力手順を備え、  データ送信手順は、その課金用データを課金用データベースが備えられた算出ユニットへ送信することとしたコンピュータプログラムに係る。
【００６０】
（請求項３４）
請求項３４記載の発明は、請求項２８から請求項３３のいずれかに記載のコンピュータプログラムを限定したものであり、
被測定者を識別するためのＩＤデータを記録したＩＤカードからＩＤデータを読み取るＩＤデータ入力手順を備え、  そのＩＤデータ入力手順にて読み取ったＩＤデータは、データ送信手順にて測定用データとともに送信することとし、  データ出力手順は、データ受信手段が算出ユニットにて算出されて受信した算出データをＩＤカードへ書き込む算出データ書き込み手順を備えたコンピュータプログラムに係る。
【００６１】
（請求項３５）
請求項３５記載の発明は、コンピュータに対し、被測定者の被測定部位による血液中グルコース濃度測定のための測定用データを入力されて送信される測定用データを受信して、算出データを出力するグルコース濃度測定算出方法を実行させるためのプログラムに係る。
そのプログラムは、測定用データを受信するデータ受信手順と、  そのデータ受信手順にて受信した測定用データを用いてグルコース濃度である算出データを算出する演算手順と、  その演算手順にて算出した算出データをデータ入出力装置へ送信するデータ送信手順とを備えたコンピュータプログラムである。
【００６２】
（請求項３６）
請求項３６記載の発明は、請求項３５に記載のコンピュータプログラムを限定したものであり、
医療情報を医療情報データベースへ蓄積する医療情報蓄積手順と、その医療情報データベースから算出データに基づいた適正な医療情報を抽出する適正情報抽出手順とを備え、  データ送信手順は、その適正情報抽出手順にて抽出した適正な医療情報を算出データとともに送信することとしたコンピュータプログラムに係る。
【００６３】
（請求項３７）
請求項３７記載の発明は、請求項３５または請求項３６のいずれかに記載のコンピュータプログラムを限定したものであり、
データ受信手順では、被測定者を識別するためのＩＤデータを受信し、  データ送信手順では、そのＩＤデータを算出データとともに送信することとしたコンピュータプログラムに係る。
【００６４】
請求項２８から請求項３７までに記載のコンピュータプログラムを、記録媒体へ記憶させて提供することもできる。ここで、「記録媒体」とは、それ自身では空間を占有し得ないプログラムを担持することができる媒体であり、例えば、フレキシブルディスク、ハードディスク、ＣＤ−ＲＯＭ、ＭＯ（光磁気ディスク）、ＤＶＤ−ＲＯＭ、ＰＤなどである。
また、これらの発明に係るプログラムを格納したコンピュータから、通信回線を通じて他のコンピュータへ伝送することも可能である。
【００６５】
【発明の実施の形態】
以下、本発明を実施の形態及び図面に基づいて、更に詳しく説明する。ここで使用する図面は、図１乃至図９であり、それぞれ発明の実施形態を概念的に示している。
【００６６】
（図１）
図１に示すのは、特開2002-202258号に代表される非侵襲による血液中のグルコース濃度を測定する分光光学的血糖値測定装置であるデータ入力算出出力ユニットを、データ入出力ユニットと、算出ユニットとに分離した様子を示すものである。算出ユニットについての演算手法については、日々改良されており、そのたびに全体を交換することは不合理だからであるという本発明の根本概念を示している。
【００６７】
特開2002-202258号に開示される分光光学的血糖値測定装置は、波長範囲０．８〜２．５μｍの近赤外光の波長を連続的に微細分割し被測定対象物に照射する近赤外照射手段と、前記近赤外照射手段により照射され前記被測定対象物を透過した光を受光し光電変換する光電変換手段と、前記光電変換手段により光電変換された検出信号に基づいて得られた吸光度スペクトルを解析演算することにより前記被測定対象物内の血液中のグルコース濃度を定量するグルコース濃度算出手段とを備えることを特徴とする。
また、光源と、前記光源から光が入射され、波長範囲０．８〜２．５μｍの近赤外光を出力する音響光学可変振動フィルターと、前記音響光学可変振動フィルターに音響振動を加える高周波振動子と、前記高周波振動子に高周波を印加する高周波発生装置とを備えていてもよい。
また、前記音響光学可変振動フィルターの媒質が、複屈折結晶材料に限定してもよい。
また、光電変換手段が、該被測定対象物を透過した光を受光し、吸光度スペクトルを与える検出信号を供給する受光素子を備えた光電変換装置であることとしてもよい。
また、グルコース濃度算出手段が、前記受光素子からの検出信号が供給される吸光度スペクトル波形解析装置および該吸光度スペクトルをグルコース濃度に換算するグルコース濃度演算装置であるとし、更に、前記吸光度スペクトルにおいて選択される波長が、１．４４μｍ、１．９４μｍおよび０．８〜２．５μｍ帯域の少なくとも５個以上の各波長における吸光度に基づく換算値であるとしてもよい。
【００６８】
データ入出力ユニットは、被測定者の被測定部位による血液中グルコース濃度測定のための測定用データを入力するデータ入力手段と、そのデータ入力手段によって入力された測定用データを別途設けられた算出ユニットへ送信するデータ送信手段と、測定用データを用いて算出ユニットが血液中グルコース濃度を算出した算出データを受信するデータ受信手段と、そのデータ受信手段が受信した算出データを出力するデータ出力手段とを備えている。
【００６９】
データ入力手段は、  近赤外線を含む測定光を発光する発光手段と、その発光手段にて発射される測定光を用いて被測定者の指に測定光が反射した反射光を受光する受光手段と、  その受光手段が受光した反射光をデータ送信手段が送信するための送信用データへ変換するデータ変換手段とを備えている。また、データ出力手段は、図示は省略するが、算出データを画面出力する画面出力手段およびデータ記録媒体（たとえばメモリカード）への出力が行えるドライブ装置を備えている。
【００７０】
算出ユニットは、前記のデータ入出力ユニットによって被測定者の被測定部位による血液中グルコース濃度測定のための測定用データを入力されて送信される測定用データを受信して、算出データを出力するグルコース濃度測定算出装置である。
測定用データを受信するデータ受信手段と、そのデータ受信手段が受信した測定用データを用いてグルコース濃度である算出データを算出する演算手段と、その演算手段が算出した算出データをデータ入出力装置へ送信するデータ送信手段とを備えている。
【００７１】
算出ユニットとデータ入出力ユニットとは、有線接続されていても良いが、通信技術によってデータの送受信が行えるように接続されているものでも良い。通信技術による接続の場合、インターネットを介する場合、専用線にて接続される場合のいずれでも良い。
【００７２】
（図２）
図２は、図１に示す実施形態を発展させたものである。すなわち、算出ユニット側には、医療情報を蓄積した医療情報データベースを備え、データ入出力ユニット側には、その医療情報データベースから送信されてきた医療情報をデータ受信手段にて受信し、医療情報出力手段によって出力できるように形成している。医療情報とは、治療の必要性、運動の必要性といった一般情報、医療機関やスポーツ施設やカウンセリング施設の紹介情報などである。
【００７３】
医療情報については、算出ユニットに適正情報抽出手段を備えることによって、算出データに基づく適切な情報を抽出し、送信することとしている。たとえば、血液中のグルコース濃度が標準よりやや高い算出データであれば、「定期的な運動の必要性」といった医療情報を抽出するし、標準よりかなり高い算出データであれば、「検査や治療に必要性や医療機関の紹介」といった医療情報を抽出する。
医療情報出力手段とは、図示するようなプリンタ、すなわち紙媒体への出力手段のほか、データ記録媒体（たとえばメモリカード）への出力が行えるドライブ装置でもよい。
【００７４】
（図３）
図３に示す実施形態は、算出ユニットにおける演算手段が算出したグルコース濃度が適正範囲でない場合には、データ送信手段がデータの再入力を促す催促データをデータ入出力ユニットへ送信することとしたものである。データ入出力ユニットにおけるデータ受信手段は、催促データを受信すると催促データ出力手段によって、その催促データを出力する。たとえば、「入力データエラー」といった画面出力である。この催促データの出力により、データ入力手段による測定用データの再入力を促すのである。
【００７５】
（図４）
図４に示す実施形態は、図３に示した実施形態とその目的が同じで構成が異なるものである。すなわち、測定用データが適正範囲ではない旨の判断を、図３に示した実施形態では算出ユニット側で行っていたものを、データ入出力ユニット側で実行する実施形態である。
データ入力手段とデータ送信手段との間には、受光手段が受光した反射光またはデータ変換手段が変換した送信用データが適正範囲か否かを判断するデータ確認手段と、適正範囲ではない場合には非適正データと判断し、その非適正データを受けてデータの再入力を促す再入力要求手段とを備えている。
このような構成を備えることによって、データ入力のエラーに基づいた測定用データを算出ユニットへ送信することを事前に防止している。
【００７６】
図４に示す実施形態は、図３に示した実施形態と、もうひとつ異なる点がある。すなわち、課金用データベース（図中、データベースは、「ＤＢ」と略記）を備えている点である。この課金用データベースは、データ送信手段が測定用データを送信した際またはデータ受信手段が算出データを受信した際に課金用カウントデータを受信して蓄積することとしている。適正範囲の測定用データであれば算出ユニットが稼働すること、および被測定者に対して対価を要求することに不合理はないからである。
【００７７】
なお、図中において、データ受信手段から課金用データベースへ課金用カウントデータが送られる旨を波線で描いているのは、算出ユニットが算出データを送ってきた場合に被測定者に対して対価を要求するという課金方法を実現する場合もありえることを示しているのである。この課金方法は、より被測定者サイドに立脚した課金方法である。
【００７８】
（データ入力手段の初期化）
ところで、データ入力手段は、様々な原因、例えば長時間の稼働による加熱などで「暴走」を生じる。暴走が生じた場合には初期化することが合理的な方法である。そこで、データ入力手段には、校正データを入力するために測定光を反射した反射光が周波数調整の基準値となる校正用物質に対して測定光を照射し且つ反射光を受光部が受光する「校正用ユニット」を備える。
その校正用ユニットは、立ち上げる際に作動させる他、測定用データが適正範囲でなかったような場合であってデータ入力手段の暴走が原因と考えられる場合にも、データの再入力の前に作動させる。
【００７９】
（図５）
図５に示す実施形態は、図２に示した実施形態のように算出ユニットへ医療除法データベースを備えているが、データ入出力ユニット側にも医療情報データベースを備えるものである。
医療情報データベースを双方のユニットに備えることにより、医療情報についての更新データを、算出ユニットにて一括に行える。図６を用いて更に詳しく説明する。
【００８０】
（図６）
この図では、データ入出力ユニットがＡ，Ｂふたつ示してある。データ入出力ユニットＡはＭ市のＮ病院に設置されており、データ入出力ユニットＢはＰ市のＱスポーツセンターに設置されているとする。
データ入出力ユニットＡからは測定用データａが、データ入出力ユニットＢからは測定用データｂが、それぞれ算出ユニットへ送信され、演算手段は算出データａ，ｂを算出する。
そして、算出データａについては、測定用データａ、Ｍ市のＮ病院に適した医療情報Ａを適正情報抽出手段（図６においては図示を省略）が抽出し、その医療情報Ａとともにデータ入出力ユニットＡへ送信される。この医療情報Ａには、Ｍ市近辺の医療機関などについて更新されたデータも含めて送信することとしている。このため、データ入出力ユニットＡに係る医療情報データベースは、その更新データも蓄積できることとなる。
算出データｂについても同様である。すなわち、測定用データｂ、Ｐ市のＱスポーツセンターに適した医療情報Ｂを適正情報抽出手段が抽出し、その医療情報Ｂとともにデータ入出力ユニットＢへ送信される。この医療情報Ｂには、Ｐ市近辺の医療機関、スポーツセンターなどについて更新されたデータも含めて送信することとしている。このため、データ入出力ユニットＢに係る医療情報データベースは、その更新データも蓄積できることとなる。
【００８１】
（図７）
図７に示す実施形態は、データ入出力ユニット側に課金用データ入力手段を備え、算出ユニット側に課金用データベースを備えたことを特徴としている。課金用データ入力手段からは、本システムを利用することによってシステム運営者へ利用料金を支払う者が、課金されるためのデータが入力される。
「支払う者」としては、データ入出力ユニットを設置した主体、たとえば病院などの医療施設、スポーツセンター、あるいは被測定者本人などがある。「課金されるためのデータ」としては、たとえば料金の引き落とし銀行口座番号などである。
【００８２】
（図８）
図８に示す実施形態は、被測定者を識別するためのＩＤデータを記録したＩＤカードからＩＤデータを読み取るＩＤデータ入力手段を備えたことを特徴としている。そのＩＤデータ入力手段が読み取ったＩＤデータは、データ送信手段が測定用データとともに送信することとし、データ出力手段は、データ受信手段が算出ユニットにて算出されて受信した算出データをＩＤカードへ書き込む機能を備えている。
また、算出データは、ＩＤデータとともに、別途設けられたデータセンターにおいて、被測定者ごとに算出データベースへ蓄積される。ここへ蓄積された算出データは、被測定者がインターネットなどを介して、自らのデータを閲覧することができる。この閲覧では、図示は省略するが、時系列に算出データを並べてグラフ化し、見やすいデータとして被測定者へ提供している。
【００８３】
（図９）
図９に示す実施形態は、被測定者を識別するためのＩＤデータの取得手段として携帯電話を用いている。すなわち、携帯電話接続手段（たとえば接続ケーブル）によって被測定者の携帯電話を接続し、ＩＤデータ（たとえば電話番号）を取得する。このＩＤデータを、データ入力手段を作動させるための開始条件としてデータ入力を開始する。
ＩＤデータは、データ送信手段によって測定用データとともに算出ユニットへ送信され、課金用データベースへ蓄積される。また、携帯電話会社の課金データベースへも送信され、被測定者の利用料金として徴収する。
【００８４】
（算出データ出力手段について）
図示は省略するものの、算出データ出力手段には、算出データを数値で出力するほか、その出力される数値に対する評価を五段階でカラー表示する。具体的には、「低血糖」および「高血糖」と評価される数値である場合には、「警告」を意味する赤いバーでの表示を、「やや低血糖」および「やや高血糖」と評価される数値である場合には、「注意」を意味する黄色いバーでの表示を、「標準範囲」と評価される数値である場合には、「良好」を意味する緑色のバーでの表示を、それぞれ行う。
また、「数値」および「評価」について、図示を省略したスピーカから音声での出力も併せて行うこととしている。このため、目の不自由な方にも便利である。
【００８５】
【発明の効果】
請求項１から請求項１２、請求項１８から請求項２４、請求項２９から請求項３４に記載する発明によれば、算出ユニットから分離されたデータ入出力ユニットを提供することで、最新の算出技術による算出結果を提供できるような血液中グルコース濃度の測定技術を提供することができた。
請求項１３から請求項１７、請求項２５から請求項２８、請求項３５から請求項３７に記載する発明によれば、データ入出力ユニットから分離された算出ユニットを提供することで、最新の算出技術による算出結果を提供できるような血液中グルコース濃度の測定技術を提供することができた。
【図面の簡単な説明】
【図１】本発明の実施形態を示す概念図である。
【図２】本発明の実施形態を示す概念図である。
【図３】本発明の実施形態を示す概念図である。
【図４】本発明の実施形態を示す概念図である。
【図５】本発明の実施形態を示す概念図である。
【図６】本発明の実施形態を示す概念図である。
【図７】本発明の実施形態を示す概念図である。
【図８】本発明の実施形態を示す概念図である。
【図９】本発明の実施形態を示す概念図である。
【図１】
2004198162.tif 000003
【図２】
2004198162.tif 000004
【図３】
2004198162.tif 000005
【図４】
2004198162.tif 000006
【図５】
2004198162.tif 000007
【図６】
2004198162.tif 000008
【図７】
2004198162.tif 000009
【図８】
2004198162.tif 000010
【図９】
2004198162.tif 000011